(57)【要約】【課題】  長靴は、一般の靴に比べて筒部が長いため歩行時或は作業時に履き口端面が脚部に接触したり当ったりして、脚に不快感や痛みを与えたりすることがあるが、本発明はカフを利用してこのようなことのない履き心地の良い長靴を提供しようとするものである。【解決手段】  すなわち本発明の要旨とするところは、長靴本体の履き口にカフを取り付けた長靴において、カフ本体の履き口に近接する箇所に、履き口全周にわたって延びるクッションテープを配設したことを特徴とする長靴にあり、また該クッションテープがカフ本体に包まって設けられていることを特徴とするものである。  【選択図】  図４
2013042975.tif 000002
【特許請求の範囲】
【請求項１】
長靴本体の履き口にカフを取り付けた長靴において、カフ本体の履き口に近接する箇所に、履き口全周にわたって延びるクッションテープを配設したことを特徴とする長靴。  
【請求項２】
クッションテープが、カフ本体に包まって設けられていることを特徴とする特許請求範囲１記載の長靴。
【発明の詳細な説明】
【技術分野】
【０００１】
この発明は、履き口にカフといわれる覆い片を取り付けた、履き心地の良い長靴に関するものである。
【背景技術】
【０００２】
長靴は、建築現場あるいは農作業或は漁業分野などにおいて、広くされている。
これらの長靴において、履き口部から土砂や水が入り込むのを防止するために、布や合成皮革などからなる筒型で口部が紐で締めることのできるカフを取り付けたものも用いられている。
【先行技術文献】
【特許文献】
【０００３】
【特許文献１】特開２００１−３４６６０９公報
【０００４】
カフを備えたものとして、例えば特許文献1に示す長靴が知られている。
この文献に示された長靴は、通気性と防水性を備えたカフを設けたものであり、雨などが入り込まずに、しかも通気性を備えた製品を提供しようとするものである。
【発明の概要】
【発明が解決しようとする課題】
【０００５】
本発明は、カフ自体の素材の改良ではなく、このカフを利用して長靴の履き心地を改善しようとするものである。
長靴は、一般の靴に比べて筒部が長いため歩行時或は作業時に履き口端面が脚部に接触したり当ったりして、脚に不快感や痛みを与えたりすることがあるが、本発明はカフを利用してこのようなことのない履き心地の良い長靴を提供しようとするものである。
【課題を解決するための手段】
【０００６】
すなわち本発明の要旨とするところは、長靴本体の履き口にカフを取り付けた長靴において、カフ本体の履き口に近接する箇所に、履き口全周にわたって延びるクッションテープを配設したことを特徴とする長靴にあり、また該クッションテープがカフ本体に包まって設けられていることを特徴とするものである。  
【発明の効果】
【０００７】
本発明は、以上のごとき構成からなるものであるから、カフを通常状態で使用するほか、これを履き口内に押し込んで使用する際に、カフがみだり履き口から出てくることがなく、とりわけクッションテープを履き口に等しい高さにして使用するときには、脚部が直接履き口端部にに触れたり、当たったりして不快感を与えることがなく、クッションテープを介して脚部にやさしく触れるため、歩行時或は作業時に履き心地の良い長靴を提供できる利点がある。
【図面の簡単な説明】
【０００８】
【図１】本発明の実施例を示すもので、通常状態の外観を示す斜視図である。
【図２】同じくカフを履き口内に一次的に押し込んだ状態の外観を示す斜視図である。
【図３】同じくカフを履き口内に二次的に押し込んだ状態の外観を示す斜視図である。
【図４】図１の状態における履き口部分の部分拡大断面図である。
【図５】図２の状態における履き口部分の部分拡大断面図である。
【図６】図３の状態における履き口部分の部分拡大断面図である。
【発明を実施するための形態】
【０００９】
以下、本発明の実施の形態を図面に基づき説明する。
図１ないし図３は、本発明の一実施例を示すもので、図１が通常状態、図２がカフを履き口内に一次的に押し込んだ状態、図３がカフを履き口に二次的に押し込んだ状態を夫々示している。
これらの図において、１が長靴本体、２がカフ本体、１Ａが靴底であり、長靴本体１の履き口１Ｂには、カフ本体２が縫着によって取り付けられている。
【００１０】
このような長靴において、本発明では履き口１Ｂに取り付けるカフ本体２の履き口１Ｂに近接する箇所に、履き口１Ｂ全周にわたって延びるクッションテープ５を、配設したことを特徴とするものである。
なおこの例においては、カフ本体２を２つ折りにしてその頂部にはカフを絞るための紐３を挿通して縫合し、また履き口１Ｂに近接する箇所には、クッションテープ５を包み込んで同様に縫合し、これを履き口に１Ｂに縫着したもので、紐３の先端に近い位置にはストッパー４が設けられている。この際用いるクッションテープ５は、例えば大人用の長靴にあっては厚さ１ｃｍ程度、高さ２ｃｍ程度のポリウレタン等のクッション素材をテープ状にしたものが用いられる。
【００１１】
本発明は、以上の構成からなるものであるから、通常状態では図１及び図４に示すように、カフ本体２が履き口１Ｂの上に起立した状態となっている。この状態では、履き口１Ｂは近接する箇所にクッションテープ５が位置するため、このクッションテープ５のボリュームによって、起立状態を維持しカフ全体が曲がったり、折れたりすることがなく、外観ばかりでなく、脱ぎ履きがし易くなる利点がある。勿論この状態でカフ上方を絞るときは、紐３を用いて行うことができる。
【００１２】
次にこの長靴のカフを、図２及び図５のように一次的に履き口１Ｂに押し込んで使用するときは、カフ本体２のクッションテープ５の上縁で折り曲げているので、この状態でも履き口１Ｂは脚との間の隙間を殆ど閉じることができ、塵埃や雨などの侵入を防ぐことができ、またこの状態では履き口１Ｂの上方に、クッションテープ５が位置するため、脚に対する当たりが柔らかになると共にカフの形態を安定させる利点がある。
【００１３】
さらにカフを、図３及び図６のように二次的に履き口1Ｂに押し込んで使用するときは、クッションテープ５が略履き口１Ｂの高さに等しくなるので、活動的に使用したり、屈んで使用したりしても、脚が履き口１Ｂ端面に強く接触したり当たったりすることがない。したがって使用者に不快感を与えるようなことはなく、履き心地の良い長靴を提供することができる。
【００１４】
なお、これらの例において、一時的あるいは二次的にカフを履き口１Ｂに押し込んで使用するときも、内部に入ったカフはクッションテープ５の存在で、適度のボリュームがあり、使用中にみだりに履き口１Ｂから飛び出すようなこともなく好都合である。
またこのようにカフを押し込んで使用するときは、図１の状態で紐３によって履き口１Ｂを閉じて使用するときに間々発生する脚の締めすぎによる窮屈感がなく、同様に使用できるものである。このように、カフを履き口１Ｂの中に押し込んで使用するときには、ストッパー４を邪魔にならないように小型化したり、場合によっては省略することもできる。
【符号の説明】
【００１５】
１        長靴本体
１Ｂ      履き口
２        カフ本体                
３        紐      
４        ストッパー
５        クッションテープ
【図１】
2013042975.tif 000003
【図２】
2013042975.tif 000004
【図３】
2013042975.tif 000005
【図４】
2013042975.tif 000006
【図５】
2013042975.tif 000007
【図６】
2013042975.tif 000008